(57)【要約】【課題】  キャビネット本体寸法との関係において高い加工精度を必要とすることなく引出しの振れ防止の可能なスライドキャビネットを提供すること。【解決手段】  前面開口した縦長状のキャビネット本体２の一内側面２１ａに設けられた支持片３に、フレーム体６による引出し５を側方に配設された桟材７を介して前後方向スライド自在に支持させ、該フレーム体６に収納トレー９を取り付けるとともに端部には前記キャビネット本体２の内側面に摺接される被ガイド部８を配設させて成るスライドキャビネット１である。被ガイド部８をローラー磁石８１にて形成し、引出し５がキャビネット本体２の内側面に引き寄せられてスライドガイドされるようにする。【選択図】図１
2006081670.tif 000002
【特許請求の範囲】
【請求項１】
前面開口した縦長状のキャビネット本体の一内側面に設けられた支持片に、フレーム体による引出しを側方に配設された桟材を介して前後方向スライド自在に支持させ、該フレーム体に収納トレーを取り付けるとともに端部には前記キャビネット本体の内側面に摺接される被ガイド部を配設させて成るスライドキャビネットにおいて、
前記被ガイド部をローラー磁石にて形成し、前記引出しがキャビネット本体の内側面に引き寄せられてスライドガイドされるよう成したことを特徴とするスライドキャビネット。
【請求項２】
前記キャビネット本体の内側面に磁性材料製の長尺状ガイド片を設け、同ガイド片に前記ローラー磁石を回動摺接させたことを特徴とする請求項１に記載のスライドキャビネット。
【請求項３】
前記ローラー磁石を、前記支持片の設けられた側の一内側面に摺接させたことを特徴とする請求項１または請求項２いずれかに記載のスライドキャビネット。
【発明の詳細な説明】
【技術分野】
【０００１】
本発明はスライドキャビネットに関し、特に、フロアユニットと呼ばれるシステムキッチンの流し台、厨房台となるキャビネット本体において引出して収納物の出し入れが行われる縦長状のスライドキャビネットに関するものである。
【背景技術】
【０００２】
従来から、この種のスライドキャビネット１００として、図２に示すように、前面開口した縦長状のキャビネット本体１０１の一内側面１０１ａに設けられた支持片に、フレーム体１０３による引出し１０２を側方に配設された桟材１０４を介して前後方向スライド自在に支持させ、該フレーム体１０３に収納トレー１０５を取り付けるとともに端部には前記キャビネット本体１０１の内側面に摺接される被ガイド部１０６を配設させて成るものが知られている。
【０００３】
被ガイド部１０６は、このようなスライドキャビネット１００においては、キャビネット本体１０１の内側面とフレーム体１０３との間の小さなスペースにおいてフレーム体１０３のスライド移動に際してのブレ止めをし、円滑におこなうために設けられたもので、樹脂製のローラー１０７がフレーム体１０３に固着されたガイド板端部に回動自在に配設されて形成されている。
【０００４】
しかし、この構成では、引出し１０２内に収納物を多く収納すると、図３の概略構成図に示すように、矢印Ａ方向の他内側面１０１ｂ側に向け引出し１０２が傾くことがあり、キャビネット本体１０１の側板に干渉することがあった。
【０００５】
また、本出願人により提案され、特許第３５５５４４８号公報として開示されている、図４に示すスライドキャビネット２００がある。このものは、フレーム体２０３は振れなくスムーズにスライドされ、キャビネット本体となるボックス体２０１内のスペースも有効に活用可能であり、また、巾変更に簡単に対応するため、前面開口した縦長状のボックス体２０１の内底部に支持レール２０４を設け、該支持レール２０４上にフレーム体２０３を前後方向スライド自在に支持し、該フレーム体２０３に収納トレー２０５を取り付け、該収納トレー２０５の両側端縁２０６、２０６をフレーム体２０３の両側方へ突設しボックス体２０１の内側面２０１ａ、２０１ａに各々近接させて、該収納トレー２０５の両側端縁２０６を同ボックス体の内側面２０１ａ、２０１ａに摺接されるスライドガイド部となし、内巾寸法の異なる複数種の同ボックス体２０１と、これに対応して外巾寸法の異なる複数種の同収納トレー２０５とを備えてなるスライドキャビネット２００において、フレーム体２０３の両側に桟材２０７、２０７を配設し、両桟材２０７間に上面開口した略器形状の収納トレー２０５を架設して着脱自在に取り付け、該収納トレー２０５上端の同桟材２０７に係止される両側端縁をスライドガイド部となしたものであり、同桟材２０７に係止される収納トレー２０５の側端縁２０６、２０６に該桟材２０７の外側へ突出して上面開口した略器形状の補助トレー部２０５ａを延設し、該補助トレー部２０５ａの外側端縁２０６を同スライドガイド部となしている。
【０００６】
しかしながら、この構成では、桟材２０７に係止される収納トレー２０５の側端縁２０６に該桟材２０７の外側へ突出して上面開口した略器形状の補助トレー部２０５ａを延設し、収納トレー２０５上端の桟材２０７に係止される両側端縁２０６、２０６をスライドガイド部となすために、フレーム体２０３の両側に桟材２０７、２０７を配設し、両桟材間に上面開口した略器形状の収納トレー２０５を架設するとともに、縦長状のボックス体の内底部に支持レール２０４を設ける必要があるものとなる。このため、キャビネット本体の内底部支持レール２０４の取り付け精度と両側面との関係寸法の精度を高める必要があり、加工のし易さに関し十分とは言えない。
【特許文献１】特許第３５５５４４８号公報
【発明の開示】
【発明が解決しようとする課題】
【０００７】
本願発明は、上記背景技術に鑑みてなされたものであり、その課題は、キャビネット本体寸法との関係において高い加工精度を必要とすることなく引出しの振れ防止の可能なスライドキャビネットを提供することである。
【課題を解決するための手段】
【０００８】
上記課題を解決するために、本願発明によるスライドキャビネットは、前面開口した縦長状のキャビネット本体の一内側面に設けられた支持片に、フレーム体による引出しを側方に配設された桟材を介して前後方向スライド自在に支持させ、該フレーム体に収納トレーを取り付けるとともに端部には前記キャビネット本体の内側面に摺接される被ガイド部を配設させて成るスライドキャビネットにおいて、前記被ガイド部をローラー磁石にて形成し、前記引出しがキャビネット本体の内側面に引き寄せられてスライドガイドされるよう成している。
【０００９】
そして、前記キャビネット本体の内側面に磁性材料製の長尺状ガイド片を設け、同ガイド片に前記ローラー磁石を回動摺接させるのが好ましい。
【００１０】
また、前記ローラー磁石を、前記支持片の設けられた側の内側面に摺接させることが好ましい。
【発明の効果】
【００１１】
本願発明のスライドキャビネットによると、収納トレーの取り付け可能なフレーム体による引出しは、前面開口した縦長状のキャビネット本体内において、ローラー磁石にて形成された被ガイド部がキャビネット本体の内側面に磁性吸着されて摺接して、側方に配設された桟材を介して同キャビネット本体一内側面に設けられた支持片に、内側面に引き寄せられた状態にて支持されて前後方向にスライドされるので、引出しがキャビネット本体２との寸法関係において高い加工精度を必要とすることなく引出しの振れ防止の可能となる。
【００１２】
そして、収納トレーの取り付け可能なフレーム体による引出しが、キャビネット本体の内側面に設けられた磁性材料製の長尺状ガイド片にローラー磁石を回動摺接されるものとなるので、キャビネット本体が磁性材料のみに限定されず木質材料でも良いものとなり、以って、金型等の加工設備投資の軽減が可能となり低コストとなる。
【００１３】
また、前記ローラー磁石を、前記支持片の設けられた側の内側面に摺接させるようにした結果として、フレーム体が傾くことがなく、反対側内側面と干渉することも無い。
【発明を実施するための最良の形態】
【００１４】
本発明の上記および他の効果、特徴および利点を明確にすべく、添付した図面を参照しながら、本発明の実施の形態を以下に詳述する。 図１を参照すると、本発明の一実施形態としてのスライドキャビネットの概略構成を示す前面から見た断面図が示されている。
【００１５】
この実施形態のスライドキャビネット１は、前面開口した縦長状のキャビネット本体２の一内側面２１ａに設けられた支持片３に、フレーム体６による引出し５を側方に配設された桟材７を介して前後方向にスライド自在に支持させ、該フレーム体６に収納トレー９を取り付けるとともに、端部には前記キャビネット本体２の内側面に摺接される被ガイド部８を配設させて成るスライドキャビネットにおいて、前記被ガイド部８をローラー磁石８１にて形成し、前記引出し５がキャビネット本体２の内側面に引き寄せられてスライドガイドされるようにしている。
【００１６】
そして、前記キャビネット本体２の内側面に磁性材料製の長尺状ガイド片４を設け、同ガイド片４に前記ローラー磁石８１を回動摺接させてもいる。また、前記ローラー磁石８１を、前記支持片３の設けられた側の一内側面２１ａに摺接させてもいる。
【００１７】
詳しくは、このスライドキャビネット１は、支持片３とガイド片４とを有するキャビネット本体２と、桟材７と被ガイド部８と収納トレー９とを有するフレーム体６による引出し５とで構成される。
【００１８】
キャビネット本体２は、この場合、木質材料により、図１に示すように、両側板２１、２１、底板２２、上板２３及び後部の背板２４で形成され、その下端には台輪部２５が設けられて、流し台、厨房台等となるフロアーキャビネットと台所壁面との間隔部分に設置される。フロアーキャビネットの上面カウンターにはシンク、コンロ等が配設され、該上面カウンターがキャビネット本体２上に延設されて上板となっている。
【００１９】
キャビネット本体２の、一方の側板２１の一内側面２１ａには前後方向に長い対のレールとなる支持片３、３が、下方において上下に並設固定されており、両支持片３、３のレール溝に引出し５のフレーム体６が桟材７を介して前後方向スライド自在に係合支持されている。この場合、同図に示す如く、上記一内側面２１ａ上部に、鋼板等の磁性材料による長尺板にて折り曲げ形成されたガイド片４、４が、当該支持片３、３と前後に亘って平行に配設取着されている。
【００２０】
引出し５は、前後の枠材６１と、該両枠材６１間に架設結合される上下の保持枠材６２、６２と、該両保持枠材６２の上側、及び下側で同両枠材６１間にそれぞれ架設結合される補強枠材６３、６４と、同両枠材６１の内側及び下端間に架設結合されて、上記支持片３、３の被支持枠となる桟材７、７とで、骨組み状フレーム体６に一体化形成されている。上下の保持枠材６２、６２各々は、収納トレー９、９が架設されて着脱自在に取り付けられるもので、この場合、後側の枠材６１の上方２箇所に、引出し５がキャビネット本体２の一内側面２１ａに引き寄せられてスライドガイドされるよう、ローラー磁石８１を水平方向に回転自在に一端部に軸着された、平板にて形成された被ガイド部８が配設されている。
【００２１】
収納トレー９は、合成樹脂にて一体成形されたもので、図１に示す如く、上端周縁には外方へ突出したフランジ部９１が一体に形成されており、同フランジ部９１の一側端縁が、キャビネット本体２の支持片３の設けられていない側の他内側面２１ｂに摺接しスライドガイド可能となる。この収納トレー９には、長手方向両側の裏下側に溝状部９２が形成されており、この溝状部９２が上記保持枠材６２に位置決めされて、図１に示すように、各々フレーム体６に取り付けられる。したがって、例えば収納トレー９上の収納物の重量が重い場合にあって、引出し５をスライドさせるときにローラー磁石８１がキャビネット本体２の一内側面２１ａ側から一時的に離れたときにおいてフレーム体６の位置規制がなされ、振れ軽減が図れるものとなる。
【００２２】
上記構成のスライドキャビネット１において、収納トレー９の取り付け可能なフレーム体６による引出し５は、前面開口した縦長状のキャビネット本体２内において、ローラー磁石８１にて形成された被ガイド部８がキャビネット本体２の内側面のガイド片４に磁性吸着されて摺接することとなる。そして、引出し５を操作する際に、側方に配設された桟材７を介して同キャビネット本体２の一内側面２１ａに設けられた支持片３に、内側面に引き寄せられた状態にて支持されて、寸法バラツキによるガタツキや、操作の硬くなることが無くてスムーズな操作感をもって前後方向にスライドされるのである。
【００２３】
このとき、収納トレー９の取付けられた引出し５が、木質材料製のキャビネット本体２の内側面に設けられた磁性材料製の長尺状ガイド片４にローラー磁石８１を回動摺接されるが、これによりキャビネット本体２が磁性材料のみに限定されず木質材料でも良いものとなって、低コスト化が可能となり、加えて、ローラー磁石８１を支持片３の設けられた側の内側面に摺接させるようにした結果として、内側面の片側のみに取り付け作業をすればよいので組み立ても容易となって、フレーム体６が傾くことなく反対側内側面と干渉することも無いのである。
【００２４】
したがって、以上説明したスライドキャビネット１によると、引出し５がキャビネット本体２との寸法関係において高い加工精度を必要とすることなく引出し５の振れ防止が可能なものとなる。
【００２５】
そして、収納トレー９の取り付け可能なフレーム体６による引出し５が、キャビネット本体２の内側面に設けられた磁性材料製の長尺状ガイド片４にローラー磁石８１を回動摺接されるものとなるので、キャビネット本体２が磁性材料のみに限定されず木質材料でも良いものとなり、以って、金型等の加工設備投資の軽減が可能となり低コストとなる。また、ローラー磁石８１を、支持片３の設けられた側の一内側面２１ａに摺接させるようにした結果として、フレーム体６が傾くことがなく、他内側面２１ｂと干渉することも無い。
【００２６】
なお、本発明は上記各実施例に限定されず、本発明の技術思想の範囲内において、各実施例は適宜変更され得ることは明らかである。 すなわち、キャビネット本体２は磁性材料を採用したものであっても良く、この場合には、ガイド片４が不要となり、構成の簡易化ができる。
【図面の簡単な説明】
【００２７】
【図１】本発明の一実施形態を示すスライドキャビネットの概略構成を示す正面断面図。
【図２】従来のスライドキャビネットの斜視図。
【図３】同スライドキャビネットの概略構成を示す正面断面図。
【図４】他従来例のスライドキャビネットの概略構成を示す正面断面図。
【符号の説明】
【００２８】
１      スライドキャビネット
２      キャビネット本体
２１ａ      一内側面
３      支持片
４      ガイド片
５      引出し
６      フレーム体
７      桟材
８      被ガイド部
８１      ローラー磁石
９      収納トレー
【図１】
2006081670.tif 000003
【図２】
2006081670.tif 000004
【図３】
2006081670.tif 000005
【図４】
2006081670.tif 000006